(57)【要約】【課題】リアグリップ部が一体的に形成された竿体を用いることによる軽量、高感度という特徴を維持しつつ、持ち重り感や振り重り感を軽減させる。【解決手段】中空状のメイン竿体１と、メイン竿体１の後側に位置し、リアグリップ部２１が一体的に形成された中空状のリアグリップ竿体２とを備え、メイン竿体１の後部の内側にリアグリップ竿体２の前部が挿入されることによりメイン竿体１とリアグリップ竿体２とが継ぎ合わせられた継ぎ合わせ部３を有しており、筒状のリールシート５はメイン竿体１に装着されており、継ぎ合わせ部３はリールシート５よりも短く、リールシート５の後部の内側に継ぎ合わせ部３が位置している。【選択図】図２
2020054272.tif 000002
【特許請求の範囲】
【請求項１】
中空状のメイン竿体と、メイン竿体の後側に位置し、リアグリップ部が一体的に形成された中空状のリアグリップ竿体とを備え、メイン竿体の後部の内側にリアグリップ竿体の前部が挿入されることによりメイン竿体とリアグリップ竿体とが継ぎ合わせられた継ぎ合わせ部を有している、釣竿。
【請求項２】
筒状のリールシートを備え、リールシートはメイン竿体に装着されており、継ぎ合わせ部はリールシートよりも短く、リールシートの後部の内側に継ぎ合わせ部が位置している請求項１記載の釣竿。
【請求項３】
リールシートは、後部外周面に雄ネジ部を有するリールシート本体と、リールシート本体に外装された移動フードと、移動フードを前後に移動させるためにリールシート本体の雄ネジ部に螺合しているナットとを備え、継ぎ合わせ部は、リールシート本体の雄ネジ部の内側に位置している請求項２記載の釣竿。
【請求項４】
リアグリップ竿体の前部の肉厚は、メイン竿体の後部の肉厚よりも厚い請求項１乃至３の何れかに記載の釣竿。
【発明の詳細な説明】
【技術分野】
【０００１】
本発明は、リアグリップ部が一体的に形成された中空状の竿体を備えた釣竿に関する。
【背景技術】
【０００２】
竿体にリアグリップ部を備える場合、コルクや発泡樹脂から筒状のリアグリップ体を形成してそれを竿体のブランクの後部外周面に装着して構成することが多い。しかしながら、リアグリップ部を竿本体とは別体構成とすると、軽量化が困難となり、また、釣竿から手に伝わる感度も低下する。
【０００３】
これに対して、本出願人は中空状のリアグリップ竿体の後部を大径化してリアグリップ部を一体的に形成した構成について既に提案している（下記特許文献１参照）。このように中空状のリアグリップ竿体を備えることによって、釣竿を高感度化することができ、軽量化も可能となる。
【０００４】
リアグリップ竿体はその前側に位置するメイン竿体と継ぎ合わせられている。リアグリップ竿体の前部の内側にメイン竿体の後部を挿入し、接着等によりメイン竿体とリアグリップ竿体とを接合一体化する。しかしながら、例えばショアから重いルアーを繰り返し遠投するような状況や釣竿を繰り返し振るような釣りにおいては、釣竿の持ち重り感や振り重り感について更なる改良が求められる。
【先行技術文献】
【特許文献】
【０００５】
【特許文献１】特許第５７２１５７４号公報
【発明の概要】
【発明が解決しようとする課題】
【０００６】
本発明は、リアグリップ部が一体的に形成された竿体を用いることによる軽量、高感度という特徴を維持しつつ、持ち重り感や振り重り感を軽減させることを課題とする。
【課題を解決するための手段】
【０００７】
本発明に係る釣竿は、中空状のメイン竿体と、メイン竿体の後側に位置し、リアグリップ部が一体的に形成された中空状のリアグリップ竿体とを備え、メイン竿体の後部の内側にリアグリップ竿体の前部が挿入されることによりメイン竿体とリアグリップ竿体とが継ぎ合わせられた継ぎ合わせ部を有している。尚、竿先側を前側とし、竿尻側を後側とする。
【０００８】
リアグリップ竿体の前部がメイン竿体の後部の内側に挿入されている。そのため、リアグリップ竿体の前部の内側にメイン竿体の後部が挿入される構成に比して、メイン竿体の後部は相対的に太くなり、リアグリップ竿体の前部は相対的に細くなる。メイン竿体の後部が太くなると、同じ硬さ、強度を出すためには、プリプレグ等の材料が少なくて済み、メイン竿体は相対的に軽くなる。逆に、リアグリップ竿体の前部が細くなると、同じ硬さ、強度を出すためには、材料が多く必要となり、リアグリップ竿体は相対的に重くなる。その結果、リアグリップ竿体の前部の内側にメイン竿体の後部が挿入される構成に比して、釣竿の重心を後側に位置させることができる。リアグリップ部が一体的に形成されたリアグリップ竿体を備える構成では、釣竿の重心が前側に位置しやすいが、リアグリップ竿体の前部をメイン竿体の後部の内側に挿入する構成とすることにより、重量増加を抑制しつつ、釣竿の重心を後側に位置させることができる。その結果、釣竿を持ったときの持ち重り感や、キャストするときの振り重り感が軽減される。また、メイン竿体の後部が相対的に太くなることから、釣竿のバット部を強くすることができ、いわゆるバットパワーを上げることができる。
【０００９】
特に、筒状のリールシートを備え、リールシートはメイン竿体に装着されており、継ぎ合わせ部はリールシートよりも短く、リールシートの後部の内側に継ぎ合わせ部が位置していることが好ましい。メイン竿体にリールシートが装着されていることにより、竿先から伝達されてくる魚のアタリ等の振動がリアグリップ竿体を介さずにメイン竿体からリールシートに伝達されることになる。そのため、伝達ロスが低減されて伝達効率が向上し、振動が手に伝わりやすくなる。また、リールシートの後部の内側に継ぎ合わせ部が位置していることにより、リールシートの前部の内側に継ぎ合わせ部が位置している構成に比して、重心をより一層後方に位置させることができ、持ち重り感や振り重り感をより一層軽減できる。
【００１０】
更に、リールシートは、後部外周面に雄ネジ部を有するリールシート本体と、リールシート本体に外装された移動フードと、移動フードを前後に移動させるためにリールシート本体の雄ネジ部に螺合しているナットとを備え、継ぎ合わせ部は、リールシート本体の雄ネジ部の内側に位置していることが好ましい。リールシート本体の雄ネジ部の内側にはメイン竿体の後部とリアグリップ竿体の前部とが重なり合って位置し、リールシート本体の雄ネジ部がメイン竿体の後部とリアグリップ竿体の前部によって内側から支えられる。そのため、リールシート本体の雄ネジ部を薄肉化しても雄ネジ部の損傷を防止でき、雄ネジ部の小径化に伴って移動フードやナットを小径化できて、リールシートを小型軽量化できるうえに、把持しやすさも向上する。
【００１１】
また、リアグリップ竿体の前部の肉厚は、メイン竿体の後部の肉厚よりも厚いことが好ましく、重心をより一層後方に位置させることができて、持ち重り感と振り重り感が軽減される。
【発明の効果】
【００１２】
以上のように、リアグリップ竿体を備えることで軽量高感度化を達成しつつ、リアグリップ竿体の前部をメイン竿体の後部の内側に挿入して継ぎ合わせることで、持ち重り感や振り重り感を軽減することができる。
【図面の簡単な説明】
【００１３】
【図１】本発明の一実施形態における釣竿の要部外観を示す正面図。
【図２】同釣竿の要部の縦断面図。
【図３】同釣竿の要部の拡大縦断面図。
【図４】同釣竿の要部の拡大縦断面図。
【発明を実施するための形態】
【００１４】
以下、本発明の一実施形態に係る釣竿について図１〜図４を参酌しつつ説明する。釣竿は、竿本体とリールシート５とを備えている。竿本体は、メイン竿体１と、メイン竿体１の後側に位置する中空状のリアグリップ竿体２とを備えている。リアグリップ竿体２は、メイン竿体１に接合一体化されている。釣竿の種類は任意であって、並継ぎ竿や振出竿等であってよい。例えば、ワンピースロッドの場合にはメイン竿体１は穂先まで連続した一本構造である。ツーピースロッド即ち二本継ぎの釣竿の場合には、釣竿は穂先側の一番竿と元側の二番竿とから構成され、元側の二番竿にリールシート５を備えることになる。二本継ぎの釣竿の場合、メイン竿体１は、穂先側に位置する第一のメイン竿体と元側に位置する第二のメイン竿体とからなる二本構造となる。一番竿は第一のメイン竿体から構成される。二番竿は、第二のメイン竿体とリアグリップ竿体２とから構成される。三本継ぎの釣竿の場合、釣竿は穂先側から順に一番竿と二番竿と三番竿とから構成され、三番竿にリールシートを備える。三本継ぎの釣竿の場合、メイン竿体１は、穂先側から順に第一のメイン竿体と第二のメイン竿体と第三のメイン竿体からなる三本構造となる。一番竿は第一のメイン竿体から構成され、二番竿は第二のメイン竿体から構成される。三番竿は、第三のメイン竿体とリアグリップ竿体２とから構成される。尚、二本継ぎ以上の構成では、最も元側に位置するメイン竿体が中空状であればよく、穂先側のメイン竿体は中実状であってもよい。例えば穂先竿を構成する第一のメイン竿体の一部あるいは全体が中実状であってもよい。
【００１５】
本実施形態の釣竿は三本継ぎのものである。従って、メイン竿体１は、図示しない第一のメイン竿体と、第二のメイン竿体３０と、第三のメイン竿体３１とから構成される。以下、第三のメイン竿体３１を単にメイン竿体１と称する。三番竿は、メイン竿体１とリアグリップ竿体２とを備えている。メイン竿体１の後部の内側にリアグリップ竿体２の前部が挿入されることにより、メイン竿体１とリアグリップ竿体２とが継ぎ合わせられている。メイン竿体１とリアグリップ竿体２との継ぎ合わせ部３については後述する。メイン竿体１とリアグリップ竿体２は何れも中空状である。メイン竿体１とリアグリップ竿体２は何れもマンドレルにプリプレグを巻回することにより形成されている。釣竿の竿尻部、即ち、リアグリップ竿体２の後端部には尻栓４が装着されている。
【００１６】
＜リアグリップ竿体２＞
リアグリップ竿体２は、後端部側の所定長さ領域が局所的に拡径されてリアグリップ部２１が一体的に形成されたものである。リアグリップ部２１はリールシート５から所定距離後側に離れて位置している。リアグリップ部２１は、釣竿を持っている手の肘や前腕を当てたり、両手でキャストする場合にはリールシート５を持つ手とは反対側の手で把持したりして使用される。
【００１７】
リアグリップ竿体２は、前後二つの領域からなる。リアグリップ竿体２は、リアグリップ竿体２の前部を構成する小径部２０と、リアグリップ竿体２の後部を構成するリアグリップ部２１とを備えている。小径部２０は、リアグリップ竿体２の前端部２ａから所定長さ領域を構成しており、その長さはリアグリップ竿体２の全長のうち半分以上の長さを占めている。小径部２０はリアグリップ竿体２の主要部分を構成している。小径部２０はリアグリップ部２１よりも長い。小径部２０は、内径一定のストレート部となっているが、勾配があってもよい。本実施形態において小径部２０は内径一定のストレート部であり、小径部２０の勾配は０である。小径部２０の前部がメイン竿体１の後部の内側に挿入されている。小径部２０の肉厚は、メイン竿体１の後部の肉厚よりも厚い。
【００１８】
リアグリップ部２１は、別体構成ではなくリアグリップ竿体２に一体的に形成された一体構成のものである。リアグリップ部２１は小径部２０よりも大径である。リアグリップ部２１は、小径部２０よりも急な勾配で後側に向けて内径が拡径している拡径部２２と、該拡径部２２の後端部からリアグリップ竿体２の後端部までの領域を構成する大径部２３とから構成されている。拡径部２２は、外径も内径と共に後側に向けて拡径している。
【００１９】
拡径部２２は、前後二つの領域に区画される。拡径部２２は、前側の面部２２ａと後側の面部２２ｂとに区画される。前側の面部２２ａは小径部２０の後端部と滑らかにつながっている。前側の面部２２ａは後側の面部２２ｂに比して勾配が急である。前側の面部２２ａは、外側凹の凹状湾曲面部であって、その勾配（拡径率）は、一定ではなく、後側ほど大きく急なものとなっている。後側の面部２２ｂは、前側の面部２２ａと同様に、外側凹の凹状湾曲面部である。但し、後側の面部２２ｂは、湾曲せずに直線的に後側に向けて拡径していくテーパ形状であってもよいし、外側凸に湾曲した凸条湾曲面部であってもよい。後側の面部２２ｂの長さは、前側の面部２２ａの長さよりも長く、拡径部２２の全長の半分を越える長さである。後側の面部２２ｂは、リアグリップ部２１の大部分の長さを占めていてリアグリップ部２１の主要部を構成している。
【００２０】
前側の面部２２ａと後側の面部２２ｂとの境界部分には、環状角部２２ｃが形成されている。該環状角部２２ｃは、全周に亘って形成されており、その断面形状は山型となっている。即ち、前側の面部２２ａと後側の面部２２ｂの境界部分に環状角部２２ｃが形成されることにより、前側の面部２２ａと後側の面部２２ｂは環状角部２２ｃにおいて前後に折れ曲がった状態となっている。このように拡径部２２の中途部に環状角部２２ｃが形成されることにより、拡径部２２は前側の面部２２ａと後側の面部２２ｂに区画される。
【００２１】
大径部２３は、小径部２０と同様に、内径一定のストレート部であり、外径も一定である。小径部２０は前側のストレート部であって大径部２３は後側のストレート部である。大径部２３の長さは、拡径部２２の長さよりも短い。大径部２３の内周面に尻栓４が装着されている。大径部２３はリアグリップ部２１のうち最も大径の部分であり、リアグリップ竿体２のうち最も大径の部分である。大径部２３は、後述するリールシート５のナット１３よりも大径である。
【００２２】
＜リールシート５＞
リールシート５には、リールが取り付けられる。リールシート５は、パイプシートとも称される筒状のものであって、釣竿の竿本体に外装されて所定位置に移動不能に固定される。即ち、竿本体がリールシート５を挿通していて、リールシート５は、竿本体の外周面の所定位置に接着等により固定されている。
【００２３】
リールは、リールシート５に取り付けるためのリール脚を備えている。リール脚は、図示しないリール本体から一本脚状に延びる脚主部６と、該脚主部６の先端部から前後両側に延びる前後一対の取付脚部７ａ，７ｂとを備えて、全体としてＴ字状に形成されている。
【００２４】
リールシート５は、竿本体に移動不能に外装され、一方の取付脚部７ａを固定するための固定フード部１０を有する筒状のリールシート本体１１と、該リールシート本体１１に外装され、他方の取付脚部７ｂを固定するための筒状の移動フード１２と、該移動フード１２を軸線方向（前後方向）に移動させると共に所望の位置に固定するためのナット１３とを備えている。本実施形態において、固定フード部１０は前側に位置し、移動フード１２とナット１３は後側に位置している、即ち、リールシート５は、リアロック構造であるが、それとは逆配置のフロントロック構造であってもよい。即ち、固定フード部１０が後側に位置し、移動フード１２とナット１３が前側に位置していてもよい。
【００２５】
尚、本実施形態におけるリールシート５は、スピニングリールを固定するのに適したものであるが、両軸リールを固定するのに適したものであってもよい。通常の使用状態においてスピニングリールは下側を向く。そのため、図１等では、使用状態に即して、リール脚の裏面を支持するためのリール脚支持面１４が下側を向くように図示している。
【００２６】
リールシート本体１１は、一部材から構成される。リールシート本体１１の材質は、合成樹脂や金属等であってよいが、特には硬質の合成樹脂から射出成形により形成された樹脂成形品であることが好ましい。リールシート本体１１には竿本体が挿通する竿挿通孔が形成されている。リールシート本体１１の下側にはリール脚の裏面を支持するためのリール脚支持面１４が形成されている。リール脚の裏面とは、リール脚の取付脚部７ａ，７ｂの裏面である。リール脚支持面１４の前端部に固定フード部１０が一体的に形成されている。固定フード部１０は後側に開口している。固定フード部１０に前側の取付脚部７ａが後側から挿入される。
【００２７】
リールシート本体１１の後部外周面には雄ネジ部１５が形成されている。リールシート本体１１の雄ネジ部１５にナット１３が螺着され、該ナット１３の前側に移動フード１２が位置する。移動フード１２はナット１３に相対回転可能に係止されている。移動フード１２は筒状であって、ナット１３とは反対側の端部には、リール脚の後側の取付脚部７ｂが挿入されるフード部１２ａが形成されている。フード部１２ａは、移動フード１２の端部における全周のうちの一部が径方向外側に局部的に膨出したものであって、フード部１２ａとリールシート本体１１との間にリール脚の後側の取付脚部７ｂが前側から挿入される。移動フード１２のフード部１２ａは、固定フード部１０と前後に対向しており、固定フード部１０と共にリール脚の取付脚部７ａ，７ｂを前後に狭持してリール脚を固定する。
【００２８】
リールシート本体１１には、図４のように、雄ネジ部１５を部分的に切り欠くようにして前後方向に直線状に延びるガイド溝１６が形成されている。移動フード１２の内周面にはガイド溝１６に係合する突起１７が形成されている。移動フード１２は、リールシート本体１１のガイド溝１６に案内されながら前後方向にスライド移動する。ナット１３を回転させると、移動フード１２は回転することなくナット１３と共に前後に移動する。移動フード１２を前側に移動させて固定フード部１０に接近させることで、リール脚の取付脚部７ａ，７ｂを前後に狭持しつつリールシート本体１１にリールを固定することができる。移動フード１２を後側に移動させて固定フード部１０から離反させることでリール脚の固定状態が解除され、リールを釣竿から取り外すことができる。
【００２９】
＜継ぎ合わせ部３＞
リールシート５は、メイン竿体１に装着されている。より具体的には、メイン竿体１の最後部の外周面にリールシート本体１１が装着されている。リールシート本体１１はメイン竿体１の外周面に直接あるいはスペーサを介して接着される。本実施形態ではメイン竿体１に直接リールシート本体１１が接着されている。リールシート５の前側にはフロントグリップ８が位置している。フロントグリップ８は、発泡ＥＶＡやコルク等のグリップ素材から構成されている。フロントグリップ８は筒状であってメイン竿体１の外周面及びリールシート本体１１の前部外周面に接着されている。
【００３０】
メイン竿体１とリアグリップ竿体２との間の継ぎ合わせ部３は、リールシート５の内側に位置している。継ぎ合わせ部３の全長は、リールシート５の全長よりも短い。具体的には、継ぎ合わせ部３はリールシート本体１１よりも短い。継ぎ合わせ部３は、リールシート本体１１の後部の内側に位置している。より詳細には、継ぎ合わせ部３は、リールシート本体１１の雄ネジ部１５の内側に位置している。リールシート本体１１の後端部１１ａとメイン竿体１の後端部１ａは面一である。メイン竿体１は、リールシート本体１１から後方に突出していない。継ぎ合わせ部３はリールシート本体１１の雄ネジ部１５よりも長い。従って、リアグリップ竿体２の前端部２ａは雄ネジ部１５よりも前側に位置している。継ぎ合わせ部３は、リール脚の前後方向の中心位置である中心線６ａよりも後側に位置している。リアグリップ竿体２の前端部２ａは、リール脚の中心線６ａよりも後側に位置している。継ぎ合わせ部３は、リール脚支持面１４の前後方向の中心位置よりも後側に位置している。リアグリップ竿体２の前端部２ａは、リール脚支持面１４の前後方向の中心位置よりも後側に位置している。
【００３１】
以上のように、継ぎ合わせ部３は、リアグリップ竿体２の前部がメイン竿体１の後部の内側に挿入されることにより形成されている。そのため、リアグリップ竿体２の前部の内側にメイン竿体１の後部が挿入される構成に比して、メイン竿体１の後部は相対的に太くなり、メイン竿体１は相対的に軽くなり、逆に、リアグリップ竿体２の前部は相対的に細くなり、リアグリップ竿体２は相対的に重くなる。その結果、リアグリップ竿体２の前部の内側にメイン竿体１の後部が挿入される構成に比して、釣竿の重心を後側に位置させることができる。特に、リアグリップ竿体２の小径部２０の肉厚をメイン竿体１の後部の肉厚よりも厚くすることにより、重心をより一層後方に位置させることができる。
【００３２】
リアグリップ部２１が一体的に形成されたリアグリップ竿体２を備える構成では、釣竿の重心が前側に位置しやすい。しかしながら、リアグリップ竿体２の前部をメイン竿体１の後部の内側に挿入する構成とすることにより、重量増加を抑制しつつ、釣竿の重心を後側に位置させることができる。その結果、釣竿を持ったときの持ち重り感や、キャストするときの振り重り感が軽減される。また、メイン竿体１の後部が相対的に太くなることから、釣竿のバット部を強くすることができ、いわゆるバットパワーを上げることができる。
【００３３】
また、メイン竿体１にリールシート５が装着されていることにより、竿先から伝達されてくる魚のアタリ等の振動がリアグリップ竿体２を介さずにメイン竿体１からリールシート５に伝達される。そのため、リアグリップ竿体２にリールシート５が装着されている構成に比して、伝達ロスが低減されて伝達効率が向上し、振動が手に伝わりやすくなる。また、リールシート５の後部の内側に継ぎ合わせ部３が位置していることにより、リールシート５の前部の内側に継ぎ合わせ部３が位置している構成に比して、重心を後方に位置させることができ、持ち重り感や振り重り感をより一層軽減できる。
【００３４】
また、リールシート本体１１の雄ネジ部１５の内側に継ぎ合わせ部３が位置しているので、継ぎ合わせ部３によってリールシート本体１１の雄ネジ部１５を内側から支えることができる。そのため、リールシート本体１１の雄ネジ部１５を薄肉化しても雄ネジ部１５の損傷を防止できる。そして、雄ネジ部１５の小径化に伴って移動フード１２やナット１３を小径化でき、リールシート５を小型軽量化できるうえに、把持しやすさも向上する。
【００３５】
尚、本実施形態では、リールシート５を備えた釣竿であったが、リールシート５を備えていない延べ竿であってもよい。
【符号の説明】
【００３６】
１    メイン竿体
１ａ  後端部
２    リアグリップ竿体
２ａ  前端部
３    継ぎ合わせ部
４    尻栓
５    リールシート
６    脚主部
６ａ  中心線
７ａ  取付脚部
７ｂ  取付脚部
８    フロントグリップ
１０    固定フード部
１１    リールシート本体
１１ａ  後端部
１２    移動フード
１２ａ  フード部
１３    ナット
１４    リール脚支持面
１５    雄ネジ部
１６    ガイド溝
１７    突起
２０    小径部
２１    リアグリップ部
２２    拡径部
２２ａ  前側の面部
２２ｂ  後側の面部
２２ｃ  環状角部
２３    大径部
３０    第二のメイン竿体
３１    第三のメイン竿体
【図１】
2020054272.tif 000003
【図２】
2020054272.tif 000004
【図３】
2020054272.tif 000005
【図４】
2020054272.tif 000006